(57)【要約】      （修正有）【課題】所望の香り強度を有する香料組成物を担持してなる賦香製品の選択方法及び賦香製品用香料組成物の調製方法を提供する。【解決手段】本発明の賦香製品の選択方法は、被験賦香製品について「香り指数」及び「香気情報」を取得する工程、賦香製品を配置する建物の区画情報を含む「空間情報」を取得する工程、少なくとも「香り指数」と「香気情報」と「空間情報」とに基づいて求められた香りの認知可能範囲を区画情報上に表示するためのデータを生成し、生成したデータを出力する工程、必要に応じて、被験賦香製品を変更し、変更した被験賦香製品について「香り指数」を取得する工程と、当該「香り指数」と変更した被験賦香製品の「香気情報」を用いて、データ作成・出力工程を繰り返す工程及び得られたデータ出力結果に基づいて、選択する賦香製品を決定する工程を有する。【選択図】図９
2020071749.tif 000002
【特許請求の範囲】
【請求項１】
コンピュータにおいて下記の工程を有することを特徴とする、賦香製品の選択方法：
（Ａ）被験賦香製品について「香り指数」、及び「香気情報」を取得する工程、
（Ｂ）賦香製品を配置する建物の区画情報を含む「空間情報」を取得する工程、
（Ｃ）少なくとも前記「香り指数」と前記「香気情報」と前記「空間情報」とに基づいて求められた香りの認知可能範囲を区画情報上に表示するためのデータを生成し、当該生成したデータを出力する工程、
（Ｄ）必要に応じて、被験賦香製品を変更し、変更した被験賦香製品について「香り指数」を取得する前記（Ａ）の工程と、当該「香り指数」と変更した被験賦香製品の「香気情報」を用いて、前記（Ｃ）の工程を繰り返す工程、及び
（Ｅ）前記（Ｃ）において得られたデータ出力結果に基づいて、選択する賦香製品を決定する工程。
【請求項２】
前記工程（Ｃ）が、少なくとも前記「香り指数」と前記「香気情報」と前記「空間情報」とに基づいて前記賦香製品の「賦香指数」を算出し、算出した「賦香指数」を区画情報上に表示するためのデータを生成し、当該生成したデータを出力する工程である、請求項１に記載する賦香製品の選択方法。
【請求項３】
前記被験賦香製品の「香り指数」が下式によって算出されるものである、請求項１または２に記載する賦香製品の選択方法：
［数１］
香り指数＝１０×ＬｏｇＸ
Ｘ：香りが認知閾値未満になるまで無臭空気で希釈したときの希釈倍率（香気濃度）。
【請求項４】
前記被験賦香製品が、その「香り指数」または／及び当該賦香製品の「香気情報」が記載されたラベルまたは商品説明書を有するものである、請求項１から３のいずれか一項に記載する選択方法。
【請求項５】
下記の工程を有することを特徴とする、賦香製品用香料組成物を調製する方法：
（１）被験香料組成物を担持させた賦香製品について「香り指数」を求める工程、
（２）コンピュータにおいて、
（ａ）前記「香り指数」、及び前記被験香料組成物の「香気情報」を取得する工程
（ｂ）賦香製品を配置する建物の区画情報を含む「空間情報」を取得する工程、
（ｃ）少なくとも前記「香り指数」と前記「香気情報」と前記「空間情報」とに基づいて求められた香りの認知可能範囲を区画情報上に表示するためのデータを生成し、当該生成したデータを出力する工程、
（３）必要に応じて、賦香製品に担持させる被験香料組成物の香料組成を変更し、変更した被験香料組成物を担持させた賦香製品について「香り指数」を求める前記（１）の工程と、当該「香り指数」及び変更した被験香料組成物の「香気情報」を用いて、前記（２）の工程を繰り返す工程、及び
（４）前記（２）工程の（ｃ）において得られたデータ出力結果に基づいて、賦香製品に担持させる香料組成物を決定する工程。
【請求項６】
前記工程（２）（ｃ）が、少なくとも前記「香り指数」と前記「香気情報」と前記「空間情報」とに基づいて前記賦香製品の「賦香指数」を算出し、算出した「賦香指数」を区画情報上に表示するためのデータを生成し、当該生成したデータを出力する工程である、請求項５に記載する賦香製品用香料組成物の調製方法。
【請求項７】
前記「香り指数」が下式によって算出されるものである、請求項４に記載する賦香製品用香料組成物の調製方法：
［数２］
香り指数＝１０×ＬｏｇＸ
Ｘ：香りが認知閾値未満になるまで無臭空気で希釈したときの希釈倍率（香気濃度）。
【発明の詳細な説明】
【技術分野】
【０００１】
本発明は所望の香り強度を有する香料組成物を担持してなる賦香製品の選択方法に関する。また本発明は所望の香り強度を有する賦香製品用香料組成物の調製方法に関する。
【背景技術】
【０００２】
ドラッグストアなどの店頭にはルーム用芳香剤を始めとする多くの賦香製品が陳列されているが、従来その選択は、ユーザーが賦香製品の香りを直接嗅いで香りの種類や強さを指標として行われているのが一般的である。しかし、ユーザーが賦香製品を使用する屋内の広さや間取りは、ユーザー毎に様々であり、またユーザーが希望する香りの強度もユーザー毎に様々である。このため、賦香製品を購入する際に、それを配置する屋内の広さや間取りに応じて、あらかじめ所定の強度の香りを有する賦香製品を選択することができると、期待通りの芳香効果を持続的に得ることができるため好ましいと考えられる。
【０００３】
従来、消臭効果のビジュアルプレゼンテーション方法として、商品の消臭効果を真正または擬似的に提示する方法は知られているものの（特許文献１）、真の賦香製品について、それを配置する空間の間取りに応じて、ユーザーに所望の香り強度を有する賦香製品を選択させるための方法は知られていない。
【先行技術文献】
【特許文献】
【０００４】
【特許文献１】特開２０１５−２０２２５３号公報
【発明の概要】
【発明が解決しようとする課題】
【０００５】
本発明は上記課題に鑑みて開発されたものであり、賦香製品について、それを配置する空間の広さや間取りに応じて、ユーザーに所望の香り強度を有する賦香製品を選択させるための方法を提供することを課題とする。また本発明は、配置する空間の広さや間取りに応じて、所望の香り強度を有する賦香製品を製造するために、当該賦香製品に担持させる香料組成物（賦香製品用香料組成物）を調製する方法を提供することを課題とする。
【課題を解決するための手段】
【０００６】
本発明者らは、上記課題を解決すべく鋭意検討を重ねていたところ、賦香製品そのものの香り指数と、当該賦香製品が有する香料組成物の香気情報と、賦香製品を配置する建物の空間情報に基づいて算出される賦香製品に関する賦香指数を指標とすることで、所望の香り強度を有する賦香製品を選択することができること、また所望の香り強度を有する賦香製品の香料組成物が調製できることを見出して、本発明を完成するに至った。
【０００７】
本発明はかかる知見に基づいてさらに研究を重ねて完成したものであり、下記の実施形態を有するものである。
【０００８】
（Ｉ）賦香製品の選択方法
（Ｉ−１）下記の工程を有することを特徴とする、賦香製品の選択方法：
コンピュータにおいて下記の工程を有することを特徴とする、賦香製品の選択方法：
（Ａ）被験賦香製品について「香り指数」、及び「香気情報」を取得する工程、
（Ｂ）賦香製品を配置する建物の区画情報を含む「空間情報」を取得する工程、
（Ｃ）少なくとも前記「香り指数」と前記「香気情報」と前記「空間情報」とに基づいて求められた香りの認知可能範囲を区画情報上に表示するためのデータを生成し、当該生成したデータを出力する工程、
（Ｄ）必要に応じて、被験賦香製品を変更し、変更した被験賦香製品について「香り指数」を取得する前記（Ａ）の工程と、当該「香り指数」と変更した被験賦香製品の「香気情報」を用いて、前記（Ｃ）の工程を繰り返す工程、及び
（Ｅ）前記（Ｃ）において得られたデータ出力結果に基づいて、選択する賦香製品を決定する工程。
（Ｉ−２）前記工程（Ｃ）が、少なくとも前記「香り指数」と前記「香気情報」と前記「空間情報」とに基づいて前記賦香製品の「賦香指数」を算出し、算出した「賦香指数」を区画情報上に表示するためのデータを生成し、当該生成したデータを出力する工程である、請求（Ｉ−１）に記載する賦香製品の選択方法。
（Ｉ−３）前記被験賦香製品の「香り指数」が下式によって算出されるものである、（Ｉ−１）または（Ｉ−２）に記載する賦香製品の選択方法：
［数１］
香り指数＝１０×ＬｏｇＸ
Ｘ：香りが認知閾値未満になるまで無臭空気で希釈したときの希釈倍率（香気濃度）。
（Ｉ−４）前記被験賦香製品が、その「香り指数」または／及び当該賦香製品の「香気情報」が記載されたラベルまたは商品説明書を有するものである、（Ｉ−１）から（Ｉ−４）のいずれか一項に記載する選択方法。
【０００９】
（ＩＩ）賦香製品用香料組成物の調製方法
（ＩＩ−１）下記の工程を有することを特徴とする、賦香製品用香料組成物を調製する方法：
（１）被験香料組成物を担持させた賦香製品について「香り指数」を求める工程、
（２）コンピュータにおいて、
（ａ）前記「香り指数」、及び前記被験香料組成物の「香気情報」を取得する工程
（ｂ）賦香製品を配置する建物の区画情報を含む「空間情報」を取得する工程、
（ｃ）少なくとも前記「香り指数」と前記「香気情報」と前記「空間情報」とに基づいて求められた香りの認知可能範囲を区画情報上に表示するためのデータを生成し、当該生成したデータを出力する工程、
（３）必要に応じて、賦香製品に担持させる被験香料組成物の香料組成を変更し、変更した被験香料組成物を担持させた賦香製品について「香り指数」を求める前記（１）の工程と、当該「香り指数」及び変更した被験香料組成物の「香気情報」を用いて、前記（２）の工程を繰り返す工程、及び
（４）前記（２）工程の（ｃ）において得られたデータ出力結果に基づいて、賦香製品に担持させる香料組成物を決定する工程。
（ＩＩ−２）前記工程（２）（ｃ）が、少なくとも前記「香り指数」と前記「香気情報」と前記「空間情報」とに基づいて前記賦香製品の「賦香指数」を算出し、算出した「賦香指数」を区画情報上に表示するためのデータを生成し、当該生成したデータを出力する工程である、（ＩＩ−１）に記載する賦香製品用香料組成物の調製方法。
（ＩＩ−３）前記「香り指数」が下式によって算出されるものである、（ＩＩ−１）または（ＩＩ−２）に記載する賦香製品用香料組成物の調製方法：
［数２］
香り指数＝１０×ＬｏｇＸ
Ｘ：香りが認知閾値未満になるまで無臭空気で希釈したときの希釈倍率（香気濃度）。
【発明の効果】
【００１０】
本発明の賦香製品の選択方法によれば、ユーザーが配置する建物内の空間情報に基づいて所望の香り強度を有する賦香製品を選択することができる。また、本発明の賦香製品用香料組成物の調製方法によれば、配置する建物内の空間情報に基づいて所望の香り強度を有する賦香製品のための香料組成物を調製し決定することができる。また本発明によれば、同時に、配置する建物内の空間情報に基づいて所望の香り強度を有する賦香製品を調製することもできる。
【図面の簡単な説明】
【００１１】
【図１】パーソナルコンピュータ１０（ＰＣ１０）の概略図を含む、コンピュータシステム１０００の構成例を示す。
【図２】パーソナルコンピュータ１０（ＰＣ１０）のブロック図を示す。
【図３】賦香製品用香料組成物の調製方法におけるコンピュータの動作を示すフローチャートである。
【図４】空間情報の一例（平面図の例）を示す。
【図５】空間情報の一例（立体図の例）を示す。
【図６】建物内の空間における賦香指数の分布の例を示す。
【図７】建物内の空間における賦香指数の表示例を示す。
【図８】建物内の空間における賦香指数の表示例を示す。
【図９】賦香製品の選択方法におけるコンピュータの動作を示すフローチャートである。
【発明を実施するための形態】
【００１２】
以下、本発明を詳細に説明する。説明の都合、「賦香製品用香料組成物の調製方法」から先に説明する。
（Ｉ）賦香製品用香料組成物の調製方法
本発明が対象とする賦香製品は、１種または２種以上の香料成分を含有し、これらの香料成分を大気中に揮散することで香りを発する製品である。具体的には、建物内の空間に香りを揮散させるために、建物内に配置または噴霧して用いられる芳香剤のほか、ハウスホールド製品（洗剤、柔軟仕上げ剤、クリーナー、ワックスなど）、トイレタリー製品（石鹸、シャンプー、入浴剤）、化粧品（皮膚用、頭髪用、メーキャップ用）、及びファインフレグランス製品（香水、オードトワレ、オードパルファンなど）を例示することができる。好ましくは芳香剤である。芳香剤は、その使用する建物内の場所に応じて、部屋用、トイレ用、台所用、シューズボックス用、クローゼット用等があり、制限されないものの、好ましくは部屋用芳香剤である。その形態は特に制限されず、例えば配置型（置き型）、プラグインタイプ、スプレー型、及び吊り下げ型等を例示することができるが、好ましくは配置型（置き型）である。配置型には液体タイプ、固体タイプ、ゲルタイプ、ビーズタイプ及びメンブレンタイプ等があるが、いずれであってもよい。
【００１３】
本発明が対象とする賦香製品用香料組成物は、前述する賦香製品に担持させる香料組成物である。言い換えれば、賦香製品を調製するために使用される香料組成物である。当該香料組成物は、単一の香料成分が任意の希釈媒体に溶解または分散されてなるものであってもよいが、通常は２種以上の香料成分が任意に組み合わされて希釈媒体に溶解または分散されてなるものである。香料組成物そのものから揮散される香りの強さと、香料組成物を実際の賦香製品に担持させた状態で揮散される香りの強さとは、賦香製品の種類や形態によって異なることが予想される。このため、本発明は、賦香製品の種類や形態に関係なく、どのような種類や形態を有する賦香製品であっても所望の強さの香りを発揮するように、被験香料組成物を実際の賦香製品に担持させた状態で（つまり香料組成物を含む実際の賦香製品について）、それから揮散される香りの強さを、後述する香り指数及び空間情報に基づいて求められた香りの認知可能範囲（後述する）、好ましくは後述する香り指数及び空間情報に基づいて算出される「賦香指数」という指標を用いて測定することで、賦香製品に担持させる被験香料組成物の適否を評価するというものである。この評価によって、賦香製品に担持させた被験香料組成物の強さが所期の目的に適っていなければ、賦香製品に担持させる被験香料組成物の香料組成（香料成分の濃度または／および種類）を調整し、当該再調製した被験香料組成物を担持させた賦香製品について、それから揮散される香りの強さを前記と同様に香り指数及び空間情報に基づいて求められた香りの認知可能範囲（後述する）、好ましくは後述する香り指数及び空間情報に基づいて算出される「賦香指数」を用いて測定することで、賦香製品に担持させた被験香料組成物の適否を評価し、賦香製品に担持させる最終の香料組成物を決定するというものである。その結果として、同時に、最終香料組成物を担持させた賦香製品も調製できるため、当該賦香製品を最終製品として決定することができる。
【００１４】
具体的には、当該本発明の方法は、下記の工程を実施することで行うことができる。
（１）被験香料組成物を担持させた賦香製品について「香り指数」を求める工程、
（２）コンピュータにおいて、
（ａ）前記「香り指数」、及び前記被験香料組成物の「香気情報」を取得する工程
（ｂ）賦香製品を配置する建物の区画情報を含む「空間情報」を取得する工程、
（ｃ）少なくとも前記「香り指数」と前記「香気情報」と前記「空間情報」とに基づいて求められた香りの認知可能範囲を区画情報上に表示するためのデータを生成し、当該生成したデータを出力する工程、好ましくは少なくとも前記「香り指数」と前記「香気情報」と前記「空間情報」とに基づいて前記賦香製品の「賦香指数」を算出し、算出した「賦香指数」を区画情報上に表示するためのデータを生成し、当該生成したデータを出力する工程、
（３）必要に応じて、賦香製品に担持させる被験香料組成物の香料組成を変更し、変更した被験香料組成物を担持させた賦香製品について「香り指数」を求める前記（１）の工程と、当該「香り指数」及び変更した被験香料組成物の「香気情報」を用いて、前記（２）の工程を繰り返す工程、及び
（４）前記（２）工程の（ｃ）において得られたデータ出力結果に基づいて、賦香製品に担持させる香料組成物を決定する工程。
【００１５】
以下、これらの各工程について説明する。
（１）の工程
当該工程は、被験香料組成物を担持させた賦香製品について「香り指数」を求める工程である。ここで「香り指数」は、下式により求めることができる：
［数１］
香り指数＝１０×ＬｏｇＸ
【００１６】
ここで「Ｘ」は、被験香料組成物を担持させた賦香製品から揮散される香りを、人間の嗅覚で認知することができなくなるまで（認知閾値未満になるまで）無臭空気で薄めたときの希釈倍率を意味する。つまり、「香り指数」は、賦香製品から揮散される香りを、人間の嗅覚で認知することができなくなるまで無臭空気で薄めたときの希釈倍率（香気濃度）を求め、その常用対数に１０を乗じた値を意味する。例えば、賦香製品から揮散される香りを１００倍に希釈して香りが認知できなくなった場合、希釈倍率（香気濃度）は１００、香り指数は２０となる。香りの強さは香気成分の濃度の対数に比例するため、「香り指数」は人間の感覚量に対応した尺度になる。つまり、「香り指数」１０と２０では希釈倍率（香気濃度）は１０倍相違するものの、香りの強さとしては、１段階程度違うように感じられる。「香り指数」は、香りの種類によらず、また個人差（香りに対する嗜好差）が少なく測定できるため、香料組成物の組成（種類）や賦香製品のユーザーを不特定とする本発明の方法に好適な指標である。
【００１７】
前記希釈倍率（香気濃度）は、測定対象のにおいを無臭空気で希釈して希釈倍率（香気濃度）を求める方法として慣用的に使用されている官能検査法により求めることができる。かかる官能検査法としては、例えばオルファクトメーター法、及び三点比較式臭袋法を例示することができる。三点比較式臭袋法は、賦香製品から揮散される香りを無臭空気で希釈した空気（希釈空気）を入れた袋１個と、無臭空気を入れた袋２個のにおいをパネルに嗅いでもらい、においのある袋を選択してもらうことで実施される。具体的には、最初は香りの濃度を高くしておき、パネル全員が正解するようにし、次に３倍希釈してこの作業を繰り返し、においのある袋を正しく選択できなくなるまで行い、不正解になったときの希釈倍率から香気濃度を求める方法である。オルファクトメーター法は、賦香製品から揮散される香りを無臭空気で希釈した空気（希釈空気）と無臭空気とを比較し、においのある方を選択するのは、先の三点比較式臭袋法と同じであるが、最初に誰もがにおいを感知できないほど、香りを希釈しておき、１．６倍ずつ濃度を高くして正しく検知できたときの希釈倍率から香気濃度を求める方法である。希釈空気の調製に関して、三点比較式臭袋法は、賦香製品から揮散される香りを、ポリエステル製のバッグ（におい袋）とガラス製注射器を用いて手作業で希釈して調製する方法であるのに対して、オルファクトメーター法は、コンプレッサーやフローコントローラー等から構成される希釈装置（オルファクトメータ）により連続的に希釈して調製する方法であるため、手希釈による三点比較式臭袋法と比較して測定精度（再現性）が高いという利点がある。このため、「香り指数」は、オルファクトメータを用いたオルファクトメーター法により求めた希釈倍率（香気濃度）に基づいて算出することが好ましい。なお、制限されないものの、オルトファクトメータとして、島津製作所社製のにおい識別装置ＦＦ−２０２０（ＦＦ−２０２０  Ｓシステム）に搭載されているにおい希釈混合装置（ＦＤＬ−１）を例示することができる。なお、使用される無臭空気は、三点比較式臭袋法及びオルファクトメーター法のいずれも定法に従って例えば活性炭を通して臭い成分を除去した空気を用いることができる。
【００１８】
なお、希釈倍率（香気濃度）は、前述する官能検査法に代えて、例えば前述する島津製作所社製のにおい識別装置等のように分析機器を用いて求めることもできる。におい識別装置は、人間の官能評価と同じようににおいの質と強さを表現できる装置である。これを用いることにより、においの強さや質を数値化することができるため、人間の官能評価に代えて客観的に、被験香料組成物を担持させた賦香製品から揮散される香りについて、人間の嗅覚で認知することができなくなる閾値（認知閾値）を決定することができる。つまり、当該におい識別装置等を用いた機器分析手法によって算出される認知閾値を下回るまで、被験香料組成物を担持させた賦香製品から揮散される香りを無臭空気で薄めることで、希釈倍率（Ｘ）を算出することができ、当該希釈倍率（Ｘ）を前記式にあてはめて香り指数を求めることができる。
【００１９】
以上のことから、本発明における「認知閾値未満になるまで」でいう「認知閾値」は前述する官能検査法によって求められる閾値であってもよいし、前述する機器分析手法によって求められる閾値でもよい。好ましくは官能検査法によって求められる閾値であり、より好ましくはオルファクトメーター法によって求められる閾値である。
【００２０】
（２）の工程
以下に説明する（２）の工程はコンピュータを用いて当該コンピュータ内で実施される。このため、説明の便宜上、図面を参照しながら、例示的な実施形態を通じて説明する。
【００２１】
図１に、（２）の工程の実施に際して使用する一つの形態であるパーソナルコンピュータ１０（以下、「ＰＣ１０」と表示する場合がある）の概略図を含むシステム１０００の構成例を示す。また図２にはＰＣ１０のブロック図を示す。ＰＣ１０には、前記（１）の工程で求められた「香り指数」を入力するための入力部１１１が接続されている。またＰＣ１０は、出力部１１２と、記憶媒体１１３とに接続されていてもよい。
【００２２】
ＰＣ１０において、処理部１０１と、主記憶部１０２と、ＲＯＭ（ｒｅａｄ  ｏｎｌｙ  ｍｅｍｏｒｙ）１０３と、補助記憶部１０４と、通信インタフェース（Ｉ／Ｆ）１０５と、入力インタフェース（Ｉ／Ｆ）１０６と、出力インタフェース（Ｉ／Ｆ）１０７と、メディアインターフェース（Ｉ／Ｆ）１０８は、バス１０９によって互いにデータ通信可能に接続されている。主記憶部１０２と補助記憶部１０４とを合わせて、単に記憶部と呼ぶこともある。記憶部には、入力により取得された情報（香り指数、香気情報、空間情報など）を一時的に記憶したり、また生成されたデータ（賦香指数、賦香指数を空間情報上に表示するためのデータなど）、後述するアプリケーションプログラムなどを記憶することができる。
【００２３】
処理部１０１は、ＰＣ１０のＣＰＵである。処理部１０１は、ＧＰＵであってもよい。処理部１０１が、補助記憶部１０４又はＲＯＭ１０３に記憶されているコンピュータプログラムを実行し、取得された情報の処理を行うことにより、ＰＣ１０が機能する。
【００２４】
ＲＯＭ１０３は、マスクＲＯＭ、ＰＲＯＭ、ＥＰＲＯＭ、ＥＥＰＲＯＭなどによって構成され、処理部１０１により実行されるコンピュータプログラム及びこれに用いるデータが記録されている。処理部１０１はＭＰＵ１０１としてもよい。ＲＯＭ１０３は、ＰＣ１０の起動時に、処理部１０１によって実行されるブートプログラムやＰＣ１０のハードウェアの動作に関連するプログラムや設定を記憶する。
【００２５】
主記憶部１０２は、ＳＲＡＭ又はＤＲＡＭなどのＲＡＭ（Ｒａｎｄｏｍ  ａｃｃｅｓｓ  ｍｅｍｏｒｙ）によって構成される。主記憶部１０２は、ＲＯＭ１０３及び補助記憶部１０４に記録されているコンピュータプログラムの読み出しに用いられる。また、主記憶部１０２は、処理部１０１がこれらのコンピュータプログラムを実行するときの作業領域として利用される。
【００２６】
補助記憶部１０４は、ハードディスク、フラッシュメモリ等の半導体メモリ素子、光ディスク等によって構成される。補助記憶部１０４には、オペレーティングシステム及びアプリケーションプログラムなどの、処理部１０１に実行させるための種々のコンピュータプログラム及びコンピュータプログラムの実行に用いる各種設定データが不揮発性に記憶されている。
【００２７】
通信Ｉ／Ｆ１０５は、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、及びＤ／Ａ変換器、Ａ／Ｄ変換器などからなるアナログインタフェース、ネットワークインタフェースコントローラ（Ｎｅｔｗｏｒｋ  ｉｎｔｅｒｆａｃｅ  ｃｏｎｔｒｏｌｌｅｒ：ＮＩＣ）等から構成される。
【００２８】
入力Ｉ／Ｆ１０６は、例えばＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、及びＤ／Ａ変換器、Ａ／Ｄ変換器などからなるアナログインタフェースなどから構成される。入力Ｉ／Ｆ１０６は、入力部１１１から文字入力、クリック、音声入力等を受け付ける。受け付けた入力内容は、主記憶部１０２又は補助記憶部１０４に記憶される。
【００２９】
入力部１１１は、タッチパネル、キーボード、マウス、ペンタブレット、マイク等から構成され、文字、数字又は音声によって入力される。入力部１１１は、ＰＣ１０の外部から接続されても、ＰＣ１０と一体となっていてもよい。前述する（１）の工程で求められた賦香製品の「香り指数」は、当該入力部１１１から入力されることで、ＰＣ１０に取得され、ＰＣ１０内の記憶部に記憶させることができる。同様に、賦香製品が有する香料組成物の香気情報、賦香製品を配置する建物の空間情報も、当該入力部１１１から入力されることで、ＰＣ１０に取得され、ＰＣ１０内の記憶部に記憶させることができる。
【００３０】
出力Ｉ／Ｆ１０７は、例えば入力Ｉ／Ｆ１０６と同様のインタフェースから構成される。出力Ｉ／Ｆ１０７は、処理部１０１が生成した情報を出力部１１２に出力する。出力Ｉ／Ｆ１０７は、処理部１０１が生成し、補助記憶部１０４に記憶した情報を、出力部１１２に出力することもできる。処理部１０１が生成する情報には、賦香製品の賦香指数、及び当該賦香指数を区画情報上に表示するためのデータが含まれる。出力部１１２は、例えばディスプレイ、プリンター等で構成される。
【００３１】
入力部１１１及び出力部１１２は、タブレット端末として一体化されていてもよい。この場合、ＰＣ１０は、ネットワークを介して、タブレット端末にインストールされたブラウザソフトに、空間情報の区画情報上に賦香製品の賦香指数を出力表示することができる。
【００３２】
メディアＩ／Ｆ１０８は、記憶媒体１１３に記憶された例えばアプリケーションソフト等を読み出す。読み出されたアプリケーションソフト等は、主記憶部１０２又は補助記憶部１０４に記憶される。また、メディアＩ／Ｆ１０８は、処理部１０１が生成した情報を記憶媒体１１３に書き込む。メディアＩ／Ｆ１０８は、処理部１０１が生成し、補助記憶部１０４に記憶した情報を、記憶媒体１１３に書き込む。
【００３３】
記憶媒体１１３は、フレキシブルディスク、ＣＤ−ＲＯＭ、又はＤＶＤ−ＲＯＭ等で構成される。記憶媒体１１３は、フレキシブルディスクドライブ、ＣＤ−ＲＯＭドライブ、又はＤＶＤ−ＲＯＭドライブ等によってメディアＩ／Ｆ１０８と接続される。記憶媒体１１３には、コンピュータがオペレーションを実行するためのアプリケーションプログラム等が格納されていてもよい。
【００３４】
処理部１０１は、ＰＣ１０の制御に必要なアプリケーションソフトや各種設定をＲＯＭ１０３又は補助記憶部１０４からの読み出しに代えて、ネットワークを介して取得してもよい。前記アプリケーションプログラムがネットワーク上のサーバコンピュータの補助記憶部内に格納されており、このサーバコンピュータに表示デバイス１０がアクセスして、コンピュータプログラムをダウンロードし、これをＲＯＭ１０３又は補助記憶部１０４に記憶することも可能である。
【００３５】
また、ＲＯＭ１０３又は補助記憶部１０４には、例えば米国マイクロソフト社が製造販売するＷｉｎｄｏｗｓ（登録商標）などのグラフィカルユーザインタフェース環境を提供するオペレーションシステムがインストールされている。アプリケーションプログラムは、前記オペレーティングシステム上で動作する。
【００３６】
図３に、コンピュータにおいて実行される工程（２）（ａ）〜（ｃ）に対応するＰＣ１０の動作（フローチャート）の例を示す。ＰＣ１０において、（ａ）の工程に対応するステップＳ１１で取得された賦香製品の香り指数、及び賦香製品が有する香料組成物の香気情報と、また（ｂ）の工程に対応するステップＳ１２により取得された空間情報とに基づいて、（ｃ）の工程に対応するステップＳ１３〜１５により、空間における賦香指数が算出され、算出された賦香指数を空間情報の区画情報上に表示するためのデータが生成され、そして当該データが出力部に出力される。
【００３７】
（ステップＳ１１）
前記（１）の工程で求められた賦香製品の香り指数は、ＰＣ１０の入力部１１１に入力されることで、ＰＣ１０内に取得することができる。ここで、「香り指数」とともに、必要に応じて賦香製品が有する香料組成物に関する情報（香気情報）が入力部１１１を介して入力されることで、ＰＣ１０内に当該香料組成物の香気情報を取得することもできる。入力は、ユーザー（ここでは、賦香製品用香料組成物を調製する者）によって行うことができる。当該ステップＳ１１は、具体的には、ＰＣ１０内の処理部１０１が、ユーザーによる入力部１１１からの賦香製品の香り指数又は／及び香気情報の入力を受け付けるか、あらかじめ入力されることで記憶部に記憶されている賦香製品の香り指数又は／及び香気情報を読み出すことで、前記香り指数及び香気情報を取得する。
【００３８】
なお、香気情報には、少なくとも香料組成物の揮散量（単位時間あたりに揮散する量）、香料組成物の質量、香料組成物の密度、及び香料組成物の拡散係数が含まれる。また香気情報には、賦香製品を配置する位置情報も含まれる。当該賦香製品の位置情報は香り揮散の起点になる。ここで賦香製品の位置情報としては、例えば、賦香製品において香料組成物を担持した基材が外に露出して外気と接している場合はその露出表面積、及びその露出部分の空間における位置座標（例えば、座標はｘ，ｙ，ｚで表され、ｙ軸を高さ方向とする場合、ｘ軸とｚ軸はｙ軸と直交し、かつｚ軸はｘ軸に直交する）が含まれる。なお、被験香料組成物は通常、複数の香料成分の組み合わせからなるため、前述する香気情報のうち、香料組成物の質量、香料組成物の密度及び拡散係数を算出することは難しい場合がある。この場合は、香料組成物の質量及び密度に代えて空気の質量及び密度を、また拡散係数としてアンモニアなどの他の気体の拡散係数を代用してもよい。
【００３９】
（ステップＳ１２）
続いて、ステップＳ１２において、処理部１０１は、建物内の空間情報（単に「空間情報」ともいう）を取得する。空間情報の取得は、ユーザー（賦香製品用香料組成物を調製する者）によって準備された空間情報が、ユーザーによって入力部１１１を介して入力されることで取得してもよいし、また、ＰＣ１０の記憶部に複数準備されている空間情報の中からユーザーが賦香製品を配置しようと考える空間を反映した空間情報を選択し、そこから読み出すことで取得してもよい。なお、前述するステップＳ１１とステップＳ１２を行う順番は逆であってもよい。
【００４０】
本実施形態において、建物は、ヒトが出入りする建築物である限り制限されない。好ましくは、建物は、商業用建築物又は住宅建築物である。より好ましくは、建物は、一戸建て住宅、集合住宅（マンション、アパート、長屋等を含む）等の住宅用建築物である。建物は、１又は複数の区画を含んでいてもよい。１つの区画は、他の区画と壁、ドア、引き戸、襖等で完全、又は不完全に仕切られていていてもよいが、仕切りはなくてもよい。また、前記仕切りは、カウンター、パーティション、カーテン、家具等であってもよい。区画は、部屋、キッチン、バスルーム、トイレ、洗面所、廊下、階段、玄関、押し入れ、クローゼット等を含みうる。これらの建物内の区画は「間取り」と言い換えることもでき、区画の配置は「間取り図」によって表現することができる。以下、建物内の間取りに関する情報を区画情報と称する。
【００４１】
空間情報には、少なくとも前記の区画情報が含まれる。空間情報には、前記区画情報の他、さらに空気流入箇所と空気流出箇所などの位置情報を含めることができる。また空間情報には、さらに空間の温度、湿度、喚起回数等の環境情報を含めることができる。空間情報は、建物内部全体の情報であってもよく、建物内部の一部の情報であってもよい。図４に空間情報の例として区画情報を示す。図４は、住宅用建築物の間取りを示す平面図である。図４には、玄関Ｅと、廊下Ｐと、階段Ｓと、浴室ＢＲと、洗面所ＷＲと、トイレＲＲと、キッチンＫと、リビングダイニングＬＤと、和室Ｒが示されている。また図４において符号Ｃは押し入れ又はクローゼット、符号Ｗは窓等を示し、符号Ｄはドアを示す。符号Ｄ１及びＤ２は出入り口を示す。キッチンＫには排気口ＤＣが設けられている。符号２は、賦香製品の配置位置を示す。賦香製品は、区画情報内のいずれかの区画に配置される。空気流入箇所は、窓Ｗ及びドアＤであってもよく、吸気口等であってもよい。空気流出箇所は、窓Ｗ、ドアＤ、及び排気口ＤＣ等であってもよい。図４は、ＩＢＥＣ  建築省エネルギー機構（一般財団法人  建築環境・省エネルギー機構）より提供される平面図であるが、区画情報はこれに制限されない。図４では住宅建築物の１つのフロアを平面図で表しているが、区画情報は、このような図面に限定されない。例えば、図５に例示するように、区画情報は、建物内の区画の間取りを立体的な見取り図で示してもよい。区画情報として好ましくは、建物内の間取りを示した平面図または立体図である。
【００４２】
（ステップＳ１３〜Ｓ１５）
まずステップＳ１３において、処理部１０１は、ステップＳ１１で取得した賦香製品の香り指数、及び香気情報と、ステップＳ１２で取得した空間情報とに基づいて対象となる建物内の空間における香りの認知可能範囲、好ましくは賦香指数を算出する。
【００４３】
続いて、ステップＳ１４において、処理部１０１は、建物の区画情報上に賦香製品の香りの認知可能範囲を表示するためのデータを生成する。ここで、ＰＣ１０の処理部１０１は、ステップＳ１４において生成したデータを記憶媒体２１３に出力するか、補助記憶部２０４に記憶してもよい。
【００４４】
続いて、ステップＳ１５において、処理部１０１は、通信Ｉ／Ｆ２０５を介して、生成したデータを出力部１１２に出力して、データを視覚化する。
【００４５】
本発明でいう賦香指数は、建物内部に配置した賦香製品から建物内の空間（大気中）に揮散された香りの強さ（例えば、希釈、又は濃縮された香料組成物の単位容積あたりの存在量、若しくは香り指数で表される）を反映した値である。賦香製品から揮散される香りは、空気の流れやその速さによっても相違するが、大気の流動がない場合、基本的には賦香製品の配置位置から遠ざかるほど大気による希釈率が高くなるため、賦香製品から揮散される香りの強さを反映する賦香指数もそれに応じて小さくなる。しかし、実際の建物内の空間では、ドアの開閉や喚気等によって大気の流動が生じる。このため、賦香指数は、賦香製品の香り指数と、賦香製品が有する香料組成物の香気情報（賦香製品の位置情報を含む）と、賦香製品を配置する建物内の空間情報とに基づいて、当該建物内の所定位置における大気による希釈率から求めることが必要になる。建物内の所定位置において香りがどのように希釈されるかは、例えば、構造格子系汎用三次元熱流体解析システムＳＴＲＥＡＭ（登録商標）等のコンピュータプログラムを使って、シミュレートすることができる。
【００４６】
シミュレーションを行う場合には、前述する（１）の工程で求めた香り指数に加えて、前述する香気情報（香料組成物の揮散量、質量、密度、拡散係数、賦香製品を配置する位置情報等）を入力してもよい。また空間情報として、建物内部の間取り（部屋の配置や大きさなど）などの区画情報のほか、空気の流入箇所や空気の流出箇所等の位置情報；換気回数、室温または湿度等の環境情報等を１または２以上入力してもよい。賦香指数は、香り指数と、香気情報と、空間情報とに基づいて、前記コンピュータプログラムによって算出され、ＰＣ１０の出力部１１２において視覚情報として建物内の区画情報上（例えば建物内の間取り図上）に表示するためのデータとして生成される。
【００４７】
図６に例示するように、例えば、前記コンピュータプログラムを用いたシミュレーションによって得られた結果は視覚情報に変換することができる。図６は、例えば表１に示すように、シミュレーションによって算出される単位空間（例えば、部屋等の賦香製品が配置された区画）の特定位置における香料組成物の存在量（ｍｇ）を賦香指数に置き換え、置き換えた賦香指数の値に基づいて等値線を引いたものである。このように、建物の区画情報（例えば、建物の間取り図）上に、賦香製品の配置場所、及びその周辺領域における賦香指数を等値線にて反映すると、建物内における賦香製品から揮散される香りの強さを、賦香指数の分布として表示することができる。
【００４８】
【表１】
2020071749.tif 000003
【００４９】
具体的には、図６では、空間の各点における賦香指数について、同じ賦香指数を示す範囲に等値線を張ることで、賦香指数の分布を視覚情報として示している。図６には、賦香製品の配置位置２が示されているが、賦香製品の配置位置２の表示は任意である。図６では、賦香製品の配置位置２の近くに位置する出入り口Ｄ１から大気の流入があり、リビングダイニングＬＤとキッチンＫとの間の出入り口Ｄ２から大気が流出する。このような空間におけるシミュレーションでは、賦香指数が最も高い場所（賦香製品から揮散された香りがもっとも強い場所）は、賦香製品の配置位置２とずれることが示されている。このように賦香指数の分布は、賦香製品の配置位置２や、出入り口Ｄ１や出入り口Ｄ２の位置といった間取り（区画情報）からのみでは必ずしも正確に予測することはできない。空間における賦香指数の分布を正確に予測するために、さらに大気の流れといった空間情報を加味して実際にシミュレーションすることが必要となる。
【００５０】
図７及び８に賦香指数の分布を視覚情報として示す際のバリエーションを示す。図７（ａ）〜（ｃ）では、便宜上、区画内に賦香製品の配置位置２からヒトが認知可能な香りの下限濃度（「認知閾値」とも言う）に相当する賦香指数を示す位置４までの範囲３（認知可能範囲３）を円形で示している。図７（ａ）において、位置４は、認知可能範囲３とその範囲外の境界となる賦香指数を示す範囲に等値線（点線）が張られ、図７（ｂ）では認知可能範囲３はグレーで示されているが、これに制限されない。図７（ａ）は、賦香指数を等値線のみで示す例である。等値線のパターンは図６に示すように実線であっても、また図７（ａ）に示すように破線等であってもよい。図７（ｂ）は、特定の同じ賦香指数を示す地点４までの範囲を、賦香指数の程度（例えば、値の大小）によらず単色で着色して示す例である。ここで、着色に使用する色は特に制限されない。また、図７（ｃ）は、特定の同じ賦香指数を示す地点４までの範囲を、賦香指数の程度に依存しない複数の色で着色されて表示される例、例えばハッチングで示す例である。図７（ｂ）及び（ｃ）は、等値線を張っていないが、等値線と組み合わせてもよい。図７（ｂ）及び（ｃ）で示すパターンによれば、賦香製品から所望の強さの香りがその配置場所２からどの範囲まで届くかを視覚情報として表示することができる。当該所望の香りの強さは適宜設定することができ、例えばヒトが認知可能な香りの強さの下限（認知閾値）に相当する賦香指数に設定すると、賦香製品の配置場所２からヒトが香りを感じることができる領域（認知可能範囲３）を、香りを感じない領域（認知不可能範囲）と識別した状態で、視覚情報として表示することができる。
【００５１】
図８（ｂ）及び図８（ｃ）は、認知可能範囲を、認知可能範囲を賦香指数に応じた色の濃さで着色する例である。このパターンは、賦香指数の値に応じて段階的な色調で着色して香りの強さの範囲を示す例である。図８（ａ）は、第１の賦香指数を示す範囲である第１の等値線５ａと、第１の賦香指数よりも小さい第２の賦香指数を示す範囲である第２の等値線５ｂと、認知可能範囲と認知不可能範囲との境界となる第３の賦香指数を示す範囲である第３の等値線５ｃとで表されている。図８（ｂ）は、第１の賦香指数を示す範囲である第１の等値線５ａと、第１の賦香指数よりも小さい第２の賦香指数を示す範囲である第２の等値線５ｂと、認知可能範囲３と認知不可能範囲との境界となる第３の賦香指数を示す範囲である第３の等値線５ｃとで表されている。さらに、賦香製品の配置場所２から第１の等値線５ａまでの第１の範囲６ａと、第１の等値線５ａから第２の等値線５ｂまでの第２の範囲６ｂと、第２の等値線５ｂから第３の等値線５ｃまでの第３の範囲６ｃが、賦香指数の値が小さくなるにつれ、淡く着色されるようにグラデーションで表されている。これはそれぞれの範囲が同程度の賦香指数で示される強さの香りが届く領域であることを示している。図８（ｃ）は、図８（ｂ）の例から等値線５ａ，５ｂ，５ｃを除いた例である。図７及び図８において、賦香製品の配置場所２の表示は任意である。
【００５２】
賦香指数に応じた等値線またはそれに相当する単色またはハッチング等のパターンは、例えば、建物内に賦香製品を配置した後の時間に応じて、賦香製品が配置された区画内の換気回数やドアの開閉回数等の環境状況に応じて、また気温や湿度の変化等に応じて時系列で示されてもよい。時系列で示す場合、静止画を切り替えてもよいが、動画で表示してもよい。
【００５３】
賦香製品の賦香指数を建物の区画情報上に表示するためのデータは、データの生成後にＰＣ１０の処理部１０１が自動的に出力部１１２にデータを出力し、当該出力部１１２においてデータが表示（視覚化）されてもよいが、ヒトがマニュアルでＰＣ１０に前記データの表示を開始する指令を与えることで、出力部１１２においてデータ（視覚化）が表示されてもよい。当該データは、出力部１１２において、前述するように、建物の区画情報上に、賦香製品の賦香指数が等値線として表示されるか、または同じ賦香指数で示される範囲が単色またはハッチングなどのパターンによって表示されるなどにより、視覚的に表示される。
【００５４】
（３）及び（４）の工程
（ステップＳ１６）
ステップＳ１６では、必要に応じて１回以上繰り返して実行される、賦香製品の香り指数と香料組成物の香気情報の取得工程（ステップＳ１１）と、空間情報の取得工程（ステップＳ１２）と、香りの認知可能範囲、好ましくは賦香指数を算出して区画情報上に表示するためのデータを生成し、出力する工程（ステップＳ１３〜Ｓ１５）とを、終了させるか否かが判定される。ステップＳ１６では、データ出力結果に基づいて、賦香製品が所望の香りの被験香料組成物を有するか否かが判定される。その結果、所望の香りを有しないと判定された場合（終了：ＮＯ）は、香料成分を追加するなどして、賦香製品に担持させた被験香料組成物の処方（香料組成や濃度）を変更し、変更した被験香料組成物を有する賦香製品について、再び、前述する（１）及び（２）の（ａ）〜（ｃ）（ステップＳ１１〜Ｓ１５）を実施する。但し、この場合、既に空間情報は取得済みであるので、（２）の（ｂ）（ステップＳ１２）は省略することができる。所望の香りを有すると判定されるまで、この工程は繰り返される。繰り返しの結果、賦香製品が所望の香りを有すると判定された場合（終了：ＹＥＳ）は、ステップＳ１６を終了させて、当該賦香製品が有する被験香料組成物の処方（香料組成）を、賦香製品に担持させる最終の香料組成物として決定することができる。その結果、同時に、所望の香料組成物を担持させた最終の賦香製品も完成することになる。賦香製品が所望の香り（強さ、持続性など）を有するか否かは、出力部１１２における視覚情報（区画の情報上に表示された賦香指数）に基づいて、賦香製品から香りが建物内の所望の区画まで拡散するか（逆に、どの区画であれば香りが揮散しないか）を判定することができる。これは、必要に応じて時系列的に判定することもできる。また、香気情報および空間情報からどこまで拡散するか判定するため、ユーザーの生活空間における賦香製品を配置する適切な位置についても確認することができる。なお、目標とする香り（強さ、持続性など）は任意に設定することができる。最終的に決定された賦香製品用の香料組成物の処方は出力部１１２に出力されてもよい。
【００５５】
本発明の賦香製品用香料組成物は、以上の工程により、賦香製品について目標とする香りを有する香料組成物として調製することができ、その結果、目標とする香料組成物を有する賦香製品を設計することが可能になる。
【００５６】
（ＩＩ）賦香製品の選択方法
本発明は、候補賦香製品の中から目的の香り（強さ、持続性など）を有する賦香製品を選択する方法である。候補賦香製品の中から対象とする賦香製品（被験賦香製品）を下記の工程に供することで最終的に目的の賦香製品を選択することができる。
具体的には、本発明における賦香製品の選択方法は、下記の工程を実施することで行うことができる。
（Ａ）被験賦香製品について「香り指数」、及び「香気情報」を取得する工程、
（Ｂ）賦香製品を配置する建物の区画情報を含む「空間情報」を取得する工程、
（Ｃ）少なくとも前記「香り指数」と前記「香気情報」と前記「空間情報」とに基づいて求められた香りの認知可能範囲を空間情報上に表示するためのデータを生成し、当該生成したデータを出力する工程、好ましくは少なくとも前記「香り指数」と前記「香気情報」と前記「空間情報」とに基づいて前記賦香製品の「賦香指数」を算出し、算出した「賦香指数」を区画情報上に表示するためのデータを生成し、当該生成したデータを出力する工程、
（Ｄ）必要に応じて、被験賦香製品を変更し、変更した被験賦香製品について「香り指数」を取得する前記（Ａ）の工程と、当該「香り指数」と変更した被験賦香製品の「香気情報」を用いて、前記（Ｃ）の工程を繰り返す工程、及び
（Ｅ）前記（Ｃ）において得られたデータ出力結果に基づいて、選択する賦香製品を決定する工程。
【００５７】
これらの工程はコンピュータを用いて当該コンピュータ内で実施される。コンピュータ内での実行フローチャートを図９に示す。図９からもわかるように、本発明の選択方法は、前述する賦香製品用香料組成物の調製方法とは目的は相違するものの、実質的には賦香製品用香料組成物の調製方法における（２）（ａ）〜（ｃ）（ステップＳ１１〜Ｓ１５）、（３）及び（４）とほぼ同じ工程を実行することで、実施することができる。具体的には、本発明の選択方法において、（Ａ）は前記方法の（２）（ａ）の工程に相当し、以下、同様に（Ｂ）は前記方法の（２）（ｂ）の工程；（Ｃ）は前記方法の（２）（ｃ）の工程；（Ｄ）は前記方法の（３）の工程；並びに（Ｅ）は前記方法の（４）の工程に、それぞれ相当する。このため、本発明の選択方法において、（Ａ）〜（Ｅ）の工程の説明は、前記方法における説明を援用することができる。但し、（Ｄ）の工程は、（Ｃ）の工程後のステップＳ１６において、ステップＳ１５によるデータ出力結果に基づいて、被験賦香製品が所望の香りを有する賦香製品であるか否かが判定された結果、所望の香りを有する賦香製品ではないと判定された場合（終了：ＮＯ）は、被験賦香製品を変更して、変更した賦香製品について、再び、前述する（Ａ）〜（Ｃ）の工程（ステップＳ１１〜Ｓ１５）を実施する。但し、この場合、既に空間情報は取得済みであるので、（Ｂ）の工程（ステップＳ１２）は省略することができる。所望の香りを有する賦香製品であると判定されるまで、この工程は繰り返される。繰り返しの結果、被験賦香製品が所望の香りを有する賦香製品であると判定された場合は、ステップＳ１６を終了させて、当該被験賦香製品を目的とする賦香製品として決定することができる。賦香製品が所望の香り（強さ、持続性など）を有するか否かは、出力部１１２における視覚情報（区画情報上に表示された賦香指数）に基づいて、賦香製品から香りが建物内の所望の区画まで拡散するか（逆に、どの区画であれば香りが揮散しないか）を判定することができる。これは、必要に応じて時系列的に判定することもできる。なお、目標とする香り（強さ、持続性など）は任意に設定することができる。最終的に決定された賦香製品の情報は出力部１１２に出力されてもよい。
【００５８】
なお、本発明において、被験賦香製品として、そのラベル、または商品説明書に、当該賦香製品が有する香り指数、または賦香製品が担持する香料組成物の香気情報が記載されているものを用いることが好ましい。なお、ラベルはＱＲコード（登録商標）であってもよく、ＱＲコード（登録商標）を読み取ることで賦香製品に関する情報（香り指数、香気情報）が入手できるようになっていてもよい。この場合、（Ａ）工程において、賦香製品が有する「香り指数」、及び「香気情報」をＰＣ１０の入力部１１１を介して入力することで、ＰＣ１０内に取得することができる。得られた賦香製品に関する情報と使用するユーザーの空間情報を入力することで、ユーザーの使用空間における香りの強さを視覚情報として表示することができ、ユーザーの使用空間に適した香りの強さやユーザーの趣向に合わせて、賦香製品を選択することができる。また、ラベルや商品説明には、得られた香り指数から、標準的な部屋での香りの広がり方を算出し、使用に適した部屋の大きさ（例えば何畳用など）を記載することもできる。
【００５９】
本発明の賦香製品の選択方法によれば、賦香製品のユーザ（消費者、顧客、購買者を含む）が、例えば店舗に陳列されている複数の候補賦香製品の中から、それを配置する建物の空間条件に適した目的の賦香製品を、パーソナルコンピュータまたはコンピュータにネットワークを介して接続されたタブレット端末を用いて選択することができる。ここで店舗は、リアル店舗でもネット店舗でもいずれでもよく、また店舗の形態を備えていないものであってもよい。賦香製品の商品説明書には、当該賦香製品を種々の間取りを有する屋内に配置した場合に想定される賦香指数分布が例示（シミュレーション例）として記載されていてもよい。この場合、賦香製品のユーザーは、当該商品説明書の記載を参考として、複数の候補賦香製品のなかから本発明の選択方法に供する対象の賦香製品（被験賦香製品）を選択することも可能である。
【符号の説明】
【００６０】
１０００：コンピュータシステム
１０：コンピュータ
【図１】
2020071749.tif 000004
【図２】
2020071749.tif 000005
【図３】
2020071749.tif 000006
【図４】
2020071749.tif 000007
【図５】
2020071749.tif 000008
【図６】
2020071749.tif 000009
【図７】
2020071749.tif 000010
【図８】
2020071749.tif 000011
【図９】
2020071749.tif 000012